(57)【要約】【課題】取り付けが簡単、現場において取付け位置の調整が可能、かつ、潅水や冷却のための配水ホースや電気配線が目立たないワイヤタイプの壁面緑化装置の提供。【解決手段】壁面にレール部材２をＬ形ブラケット７で固定する。レール部材２は中空の押出し形材などであり、壁面へ水平にかつ上下方向で複数段に配置する。レール部材２の上面部と下面部に形成した長手方向のスリット１４，１５にスライド板３４（スライド部材５２）を装着する。スライド板３４はスリット１４，１５に沿って移動でき、任意の位置で固定可能としてある。レール部材２に取り付けたスライド板３４を用いてワイヤ３やルーバー５をレール部材２に取り付ける。潅水のための配水ホース９や照明器具４５などのための電気配線１６はレール部材２の中空部に納める。スライド板３４は、レール部材２のどの位置からも着脱が可能な構造とすることがある。【選択図】図３
2012055180.tif 000002
【特許請求の範囲】
【請求項１】
壁面にワイヤを縦方向に張設し、これに植物を伝わらせて成長させる構造であって、張設したワイヤの上部から下部へ植物に対する潅水目的の水を流下させることを特徴とした壁面緑化装置。
【請求項２】
ワイヤは芯線に副線をらせん状に巻きつけたスパイラルワイヤであって、芯線及び副線共に耐候性の合成樹脂で被覆してあることを特徴とした請求項１に記載の壁面緑化装置。
【請求項３】
壁面に中空形材のレール部材を横方向に固定し、レール部材にワイヤの端部を取り付けて張設してあることを特徴とした請求項１に記載の壁面緑化装置。
【請求項４】
レール部材は壁面に固定したＬ形ブラケットにスライド板とボルトを用いて取り付けられており、スライド板はレール部材の中空部に配置され、レール部材に形成した長手方向のスリットに沿って移動が可能で任意の位置に配置できることを特徴とした請求項３に記載の壁面緑化装置。
【請求項５】
レール部材とワイヤはワイヤの端部をレール部材に取り付けたスライド板を用いて取り付けられており、スライド板はレール部材の中空部に配置され、レール部材に形成した長手方向のスリットに沿って移動が可能で任意の位置に配置できることを特徴とした請求項３に記載の壁面緑化装置。
【請求項６】
スライド板はこれと対向するナット部材又はボルト部材とでスライド部材を構成し、スライド板は、レール部材に形成したスリットの幅より小さな幅とこのスリットの幅よりも大きな長さを備え、スライド部材はスライド板とナット部材又はボルト部材とでレール部材の上面部あるいは下面部の周囲壁を協働して挟み付ける構造であり、スライド部材はスリットを介してレール部材へ着脱可能であるとともに、スリットに沿って移動と位置固定が可能とされていることを特徴とした請求項４または５に記載の壁面緑化装置。
【請求項７】
レール部材の中空部に潅水のための配水ホースを収納してあることを特徴とした請求項３に記載の壁面緑化装置。
【請求項８】
潅水は、配水ホースのワイヤ上端位置に対応した箇所に取り付けた均圧滴下具から行われることを特徴とした請求項７に記載の壁面緑化装置。
【請求項９】
レール部材の中空部に照明やセンサー用などの電気配線を収納してあることを特徴とした請求項３に記載の壁面緑化装置。
【請求項１０】
ルーバー材にＬ形ブラケットの垂直部を固定し、水平部をレール部材に係合させてスライド板とボルトを用いて取り付けられており、スライド板はレール部材の中空部に配置されると共にレール部材に形成した長手方向のスリットに沿って移動可能であって任意の位置に固定可能とされていることを特徴とした請求項３に記載の壁面緑化装置。
【請求項１１】
横方向に配置したレール部材の端部を縦方向の中空形材で連結し、配水ホースを内部に配置するとともに、レール部材の中空部を縦方向形材の中空部に連通させ、縦方向形材をレール部材を伝う水の縦排水樋としてあることを特徴とした請求項３に記載の壁面緑化装置。
【請求項１２】
Ｌ形ブラケットは、水平部に取付け用ボルトが挿通できる前後方向の長孔とこれに一側面側から連続する横方向のボルト首通過孔とが形成されていることを特徴とした請求項４または１０に記載の壁面緑化装置。
【発明の詳細な説明】
【技術分野】
【０００１】
建物の壁面につたなどの植物を育成して壁面の緑化を図る壁面緑化装置に関する。
【背景技術】
【０００２】
都市の温暖化現象の抑止や炭酸ガス濃度の上昇抑止など、都市の生活環境改善の一環として壁面緑化が普及してきた。壁面緑化の装置として植生ブロックを積み重ねたり、網を張設するものがあるが、植生ブロックを利用するタイプは緑化面積が広い場合に大量の植生ブロックを必要とし、メインテナンスも各ブロック単位となるのでコスト高となる。また、壁面を埋めるような緑化では、その大量の植生ブロックの重量を支持する構造が必要で、この面でもコストがかさむ。
【０００３】
網を張設するタイプでは網が風でバタついたり、植生が行きわたらない箇所で網が露出したりし、見苦しいなどの難点がある。この点、特許文献１のようにワイヤを張設してこれにつたなどのつる性植物を這わせて植生する構造のもの（ワイヤタイプの壁面緑化装置）は、安価であって、風にあおられることもなく、また、植生がいきわたるまでの期間、ワイヤが露出していても目立つことが少ない利点がある。さらに、ワイヤタイプの壁面緑化装置は、植生を延ばしたいと思う方向へ施工することが容易であるうえ、不要となった場合の撤去作業も迅速に行えるので、ワイヤタイプの壁面緑化装置は壁面緑化の手段として優れたものとされている。
【先行技術文献】
【特許文献】
【０００４】
【特許文献１】特開２００６−００００３６号公報
【発明の開示】
【発明が解決しようとする課題】
【０００５】
ワイヤタイプの壁面緑化装置は、植物を伝わらせるためのワイヤを通常、壁面に沿った上下方向として平行に多数本を配置し、これらそれぞれの上端と下端を固定する。ワイヤの上端と下端は、例えば、壁面に取り付けた横方向に長いアングル材にあらかじめ形成した孔にワイヤ先端のフックを係合させたり、ねじ止めしたりすることで固定される。
【０００６】
ワイヤに絡む植物は壁面からの輻射熱や吹きつける風、あるいはワイヤが高温になるなど、地面に這っている場合に比べ植物として厳しい環境にあるといえる。特に葉面からの蒸散が大きくなる環境や根から生長点（先端）までの距離（高さ）が大きくなってしまう環境では、必要な水分が植物の全体に充分にいきわたらないことがあり、ワイヤに絡む植生の中間部がしおれたり、生長が鈍くなったりすることがある。
【０００７】
この状態を改善するには、壁面の緑化部分全体に水を噴霧するなど潅水を頻繁に行えばよいが、建物の壁面などでは通行人を濡らしてしまうなどの不都合があるので、実行が難しい。
また、従来のワイヤタイプ壁面緑化装置ではワイヤの端部を壁面に直接に固定したアンカーボルトや、このようなボルトで壁面に固定された断面Ｌ形のいわゆるＬ形アングル材に工場であらかじめ加工した孔を利用して取り付けているので、現場では、例えば、隣接するワイヤ間の間隔を状況に応じて調整することができない。
さらに、ワイヤタイプの壁面緑化装置ではワイヤ上端の取り付け作業は高所で行われるので、前記した取付け位置の調整も含めて、簡単な作業で取り付けられることが求められる。
さらに、最近の壁面緑化では単に緑化だけではなく、壁面としてのデザイン性も要求されるので、壁面緑化装置は外観も考慮する必要がある。
【０００８】
そこで、この発明は、植生に対して潅水を簡単且つ有効に行える一方、施工が容易であり、かつ、外観の良好なワイヤタイプの壁面緑化装置の提供を課題とする。
【課題を解決するための手段】
【０００９】
ワイヤタイプの壁面緑化装置において、縦に張設されるワイヤの上端から下方へ水を流下させ、潅水する構造とする。
ワイヤは通常の線状のワイヤでもよいが、芯線に副線をらせん状に巻きつけたスパイラルワイヤが好ましい。スパイラルワイヤは植物の絡みを強固に、また、潅水のために流下する水と植物との接触機会を多くする。ワイヤ（スパイラルワイヤを含む）には耐候性のある合成樹脂を被覆して、ワイヤが高温になって植物を弱らせる、いわゆる，熱焼けを防止することがある。
【００１０】
壁面に対するワイヤなどの取り付けには、中空形材のレール部材を用いる。形材の中空部を潅水のための配水ホースや電気配線の収納部とする。また、レール部材は長手方向にスリットを備えたものとし、スリットに沿って移動と位置固定が可能なスライド部材を用いて、壁面に対するレール部材の取り付けやワイヤの取り付け，あるいはルーバー材などの外観装飾材を取り付ける共通の部材とする。
【発明の効果】
【００１１】
ワイヤの上部から流下する潅水のための水は、ワイヤを伝って下方に移動してワイヤに絡む植物と直接に接触し吸収される。つる性植物には葉柄の根元から発根するものがあり、この場合、水はこの根からも吸収される。すなわち、水がワイヤを伝って流下することで植物と水との接触機会が多くなる。また、気化熱で壁面に近接する空間及びワイヤそのものが冷却され、植生が熱気によって弱ってしまうのを防止することができる。
壁面に対するワイヤの取り付けと外観装飾材（ルーバー材）の取り付けに中空形材のレール部材を共用するので、壁面緑化装置の構造が簡素になるとともに施工手間を削減できる。
レール部材である中空形材の長手方向にスリットを形成し、このスリットにスライド部材を取り付けて、レール部材の長手方向に移動と位置固定が可能なように構成することによって、現場にてワイヤの取り付け位置を調整可能とすることができる。これによれば、壁面緑化装置の施工が容易になる。
【００１２】
この場合、レール部材にスライド部材を仮止め状態にしてから、レール部材をレール用Ｌ形ブラケットに取り付けたり、レール部材に仮止めしたスライド部材にワイヤをフック掛けしたり、あるいはルーバーに取り付けたＬ形ブラケットをレール部材に引掛けてからスライド部材を固定したりできるので、作業しやすく、また、高所作業の危険が少なくなる。
スライド部材を、壁面とレール部材との固定、レール部材に対するワイヤの取付け及びレールに対するルーバー材の取付けに共通に利用する構造とできるので、必要な部品の種類を抑制することができる。
【００１３】
レール部材の中空部に潅水のための配水ホースや電気配線を配置できるので、緑化された壁面に配水ホースや電線がだらしなくぶら下がることがなく、緑化された壁面の外観を向上させることができる。また、配水ホースや電線が外力から保護され、接続部が外れたり、切れてしまったりすることがない。
ルーバー材を簡単に取り付けることができ、緑化された壁面のデザイン調整を容易に行える。
【図面の簡単な説明】
【００１４】
【図１】壁面緑化装置の一部を示した正面図。
【図２】ルーバーを取り除いて示す正面図。
【図３】図２のＡ部分を解体して示す斜視図。
【図４】図２のＢ−Ｂに沿った横断面図。
【図５】Ｌ形ブラケットの斜視図。
【図６】（イ）は上部のばねフックの正面図、（ロ）は一部を断面で示した前記ばねフック部の正面図。
【図７】（イ）は下部のばねフックの正面図、（ロ）は一部を断面で示した前記ばねフックの正面図。
【図８】係合ナットをレール部材へ取り付けた状態で示した側面図であり、透視的に示している。（イ）は固定状態、（ロ）は移動が可能な状態。
【図９】照明器具の取り付け状態を示した側面図。
【図１０】ルーバー材の取り付け状態を説明するための側面図（一部透視的にしめしている）。
【図１１】ルーバー材の取り付け状態を示す斜視図。
【図１２】図２のＤ，Ｅ，Ｆ部分を拡大して示す斜視図。
【図１３】図２のＢ−Ｂ線に沿った断面に相当する部分を示した実施例２。
【図１４】図２のＣ−Ｃ線に沿った断面に相当する部分を示した実施例２。
【図１５】（イ）はスライド部材２３ａの斜視図、（ロ）はスライド部材２３ｂの斜視図。
【図１６】スライド部材２３ａ，２３ｂの取り付け状態を説明するための一部を断面で示した側面図。（イ）は固定前、（ロ）は固定時。
【図１７】実施例２における各部材の連結状態を一部断面で示した正面図。
【図１８】図２のＢ−Ｂ線に沿った断面に相当する部分を示した実施例３。
【図１９】図４の構造を天吊りタイプとした実施例４。
【図２０】独立型壁面緑化装置（平面タイプ）、イは斜視図、ロは正面図。
【図２１】独立型壁面緑化装置（サークルタイプ）の斜視図。
【発明を実施するための形態】
【００１５】
図１は、この発明の第１の実施例である壁面緑化装置１を示している。
この壁面緑化装置１は、概略として、横方向に配置されて壁面へ３段（複数段）に固定されたレール部材２と、レール部材２を利用して取り付けられたワイヤ３、潅水装置４およびルーバー５（外観装飾材）を有している。符号６はポンプであって、コントロールボックスに設定した時間間隔と流量とで潅水装置４へ揚水するためのものである。
この壁面緑化装置１は外観的にはルーバー５の間にワイヤ３が張設された外観である。
図２は説明のために、図１のルーバー５を省略して示したものである。
レール部材２は、それぞれがＬ形ブラケット７で壁面に取り付けられている（区別の必要あるときは、レール部材２ａ，２ｂ，２ｃとする）。
【００１６】
ワイヤ３は、下部のプランター８に植えつけたつる性の植物を絡ませて育成するためのものであり、上段と中段のレール部材２ａ，２ｂ間（ワイヤ３ａ）と中段と下段のレール部材２ｂ，２ｃ間（ワイヤ３ｂ）でそれぞれ多数本が平行に張設されている。
潅水装置４は、ポンプ６から圧送される水を配水ホース９で各ワイヤ３ａ，３ｂの上端部まで送り、そこからワイヤ３ａ，３ｂに流下（この実施例では滴下）させる構造のものである。なお、潅水のための水は、準備したタンクに貯めた雨水や水道管への直結で得る。
【００１７】
ルーバー５（図１）はルーバー材１０を縦方向に複数本ずつをグループにして前記複数段としたレール部材２間にＬ形ブラケット７（図１では見えていない）を用いて取り付けてある。Ｌ形ブラケット７はレール部材２を壁面へ固定する場合に用いるものと同じものを兼用する。なお、符号１１は縦方向の中空形材であって、内部にポンプ６からのメインの配水ホース９ａを収容している。メインの配水ホース９ａからはサブの配水ホース９ｂ、９ｃが枝分かれし上段、中段および下段のレール部材２ａ，２ｂ、２ｃの方向へ枝分かれしている。配水ホースについて区別する必要のないときは配水ホース９と表記する。
【００１８】
各部材の構成を具体的に説明する。
レール部材２は、図３に示すように、この実施例１においてアルミ合金の押出し成形による中空形材であって、周囲壁１２と内部を横断した中壁１３を備え、周囲壁１２の上面部と下面部とに長手方向に連続したスリット１４、１５が形成されている。この実施例において中空形材は周囲壁１２の断面が矩形であり、平らな上面の中央部に上面部スリット１４が、また、平らな下面の中央部に下面部スリット１５がレールの長手方向に沿って形成されている。なお、レール部材２は周囲壁１２が丸い断面円形のものであっても良い。レール部材２の中空部には配水ホース９と電気配線１６が収納されている。
【００１９】
レール部材２は図４のように、Ｌ形ブラケット７で壁面に固定される。Ｌ形ブラケット７（図５）は、垂直部１７と水平部１８を有するＬ字形で垂直部１７にアンカーボルト１９（Ｍ１０）（図４）が挿通できるボルト挿通孔２０が形成されるとともに水平部１８の先端に前端を開放した前後方向の長孔２１が形成されている。長孔２１の幅は取付け用ボルト２２（Ｍ８）（図４）が前後に移動できる大きさである。垂直部１７のボルト挿通孔２０は側方に開口されている。
【００２０】
レール部材２の取り付けはＬ形ブラケット７を用いる。上段、中段、下段のレール部材２の位置に対応させて、それぞれに複数のＬ形ブラケット７を壁面の墨出しした位置へアンカーボルト１９で確実に固定し、ついで、レール部材２をボルト２２で取り付ける。ボルト２２はナット兼用のスライド板２３と対になっていて、ボルト２２にスライド板２３をあらかじめ螺合させたものをレール部材２の端から上面部スリット１４を利用してはめ込んでおき、Ｌ形ブラケット７の位置で長孔２１に係合させた後、ボルト２２をしっかりと締め付ける。スライド板２３はレール部材２の内部を長手方向に移動できるが回転はできない寸法と長さに形成されている。
【００２１】
ワイヤ３（区別する必要のあるときは、ワイヤ３ａ，３ｂ）は上部にばねフック２４および下部にばねフック２５を備えている（図４）。ワイヤ３は、ステンレスの芯線２６に副線２７を螺旋状に巻きつけて固定したスパイラルワイヤである（図４）。上部のばねフック２４は図６イ、同ロに示すように、コイルばねの上端部をフック２８に形成したものであり、下方を円錐上にすぼめたてテーパー状の形態としてある。これに対してワイヤ３は上端に固定した係合体２９をコイルばねの前記円錐部分に係合させて取付けられる。係合体２９は円柱を側面から押し潰した形であり、ばねフック２４のテーパー状部分へ係合させたとき、扁平であるために係合体２９の両側に水の通る間隙が生じる。
【００２２】
ワイヤ３の下部（図７イ、ロ）にはこの実施例１においてチャック３０が取り付けられ、チャック３０の下部にねじ部材３１を介してばねフック２５が取り付けられている。ばねフック２５はコイルばねの下端部がフック３２に形成されている。チャック３０は内部にばねにより押圧された楔を備える摩擦式のものであり、ワイヤ３下端の芯線２６をチャック３０の上方から差し込むだけでワイヤ３の下部をチャック３０に固定することができる。チャック３０からワイヤ３を抜き取るにはチャック３０のリリースボタン３３を押し下げる。
【００２３】
ワイヤ３の上部はばねフック２４のフック２８をスライド板３４（図３）に係合させて取り付ける。スライド板３４は、この実施例１において、レール部材２の中空部にその端部からはめ込まれ、下面部スリット１５の両側に渡って配置される。スライド板３４は、レール部材２の長手方向に移動可能であるが回転はできない寸法とされている。
スライド板３４には、後述の給水ホース３５が取り付けられ、また、係合孔３６を備えている。給水ホース３５は短寸でスライド板３４を上下方向に貫通し、レール部材２の中空部に配置された配水ホース９とドリッパー３７（均圧滴下具）を介して接続されている。
【００２４】
レール部材２の中空部において、スライド板３４に給水ホース３５とワイヤ３の上部が取り付けられ、給水ホース３５が配水ホース９へドリッパー３７を介してで接続されている。これらの部材をレール部材２の中空部へ取り付ける際にはあらかじめスライド板３４に給水ホース３５を取り付け、ばねフック２４のフック２８をスライド板３４に係合させ、かつ、給水ホース３５と配水ホース９をドリッパー３７によって接続した一連の連続状態でレール部材２の端部から順次送りこむようにして配置する。このとき、スライド板３４から下方へ突出する給水ホース３５とフック２８は下面部スリット１５を移動させて所定の位置に定める。
【００２５】
ワイヤ３の下部は、係合孔３８を備えた小さなアイボルト３９ａとナット３９ｂ（アイボルト・ナット４０）（図４、図８）に下部のばねフック２５を係合して取り付ける。
アイボルト・ナット４０は、図８のように、雄ねじ部を備えたスライド板４１と対になっている。アイボルト・ナット４０とスライド板４１とで上面部スリット１４の両側に位置する周囲壁１２を挟んだ状態で配置する。そして、アイボルト３９ａの雄ねじ部をスライド板４１の雌ねじ部に螺合してナット３９ｂ強く締め付けることで、アイボルト・ナット４０をレール部材２へ固定できる。
【００２６】
スライド板４１は、その幅を上面部スリット１４を通過でき、長さをスリット１４の幅よりも十分に長くしてある。すなわち、スライド板４１は、その長手方向をスリット１４の長手方向に沿わせた配置にすると、スリット１４を内外に通過できる。そして、通過させてから９０度回転させることによって、スライド板４１はレール部材２の内部で下面部スリット１５の両側にまたがった係合状態となる。したがって、スライド板４１はレール部材２に対して下面部スリット１５のどこからでもレール部材２の中空部へ差し込み、回転させることによって取り付け、また、逆の手順で取り外しができる。さらに、アイボルト・ナット４０を締め付けることによって位置を固定できるとともに、アイボルト・ナット４０を緩めた状態でレール部材２に沿って任意の位置に移動させることができる。
【００２７】
この実施例１においてアイボルト・ナット４０とスライド板４１とは、これらの間にスプリング４３とワッシャー４４を嵌めて組み合わされる（図８ロ）。ナット４０は凹部４２を有してこの中にスプリング４３がはめ込まれる。ナット３９ｂをねじ込むとスプリング４３は圧縮されてナット３９ｂの凹部４２に収納される（図８イ）。この構造では、アイボルト・ナット４０を緩めた状態でも、ワッシャー４４はスライド板４１との間でスプリング４３の弾力で上面部の周囲壁１２を軽く把持するので、仮止めする際にその位置がみだりに移動してしまうことがない。
【００２８】
潅水装置４は、ポンプ６とメインの配水ホース９ａ、サブの配水ホース９ｂ、９ｃ、ドリッパー３７及び給水ホース３５ａで構成されている。メインの配水ホース９ａは、前記のように、縦方向の中空形材１１の内部を通過し、その途中、下方から第１段のレール部材２ｃと第２段のレール部材２ｂとに枝別れしながら、上段のレール部材２ａに到達する。また、各レール部材２において各ワイヤ３の上端部が取り付けられる箇所では、ドリッパー３７を介して給水ホース３５が枝分かれし、その先端が、それぞれワイヤ３の上部に取り付けたテーパー状のばねフック２４の内部に配置されている。
【００２９】
したがって、ポンプ６からの水はメインの配水ホース９ａ、サブの配水ホース９ｂ、９ｃ、ドリッパー３７及び給水ホース３５ａを通じて各ワイヤ３の上部に供給される。供給状態は、この実施例１では、圧力を調整するドリッパー３７によって均等に配分され、各ワイヤの上端に対して滴下状態となる。滴下状態はドリッパー３７の調整とポンプ６が備えたコントローラーによる潅水装置４への流量調整（時間、圧力）によるのであり、滴下の間隔（連続した流下状態を含む）は植生の状態に応じて設定される。
なお、電気配線１６は、壁面をライトアップする照明や潅水のために必要な各種センサー（温度、湿度など）のために使用するものであり、照明器具４５などはＬ形ブラケット７を用いてレール部材２に取り付けられる（図９）。
【００３０】
ワイヤ３ａは上下のレール部材２ａ，２ｂ間において、上部のばねフック２４を上のレール部材２ａに取り付けたスライド板３４に係合させ、下部のばねフック２５を下のレール部材２ｂに取り付けたアイボルト・ナット４０に係合させて張設する。ワイヤ３ａは上下のレール部材２ａ，２ｂの間に上下方向で平行に複数本を張設する。レール部材２ｂと２ｃの間においても同様であり、ワイヤ３ｂも上下に隣接するレール部材２ｂ，２ｃ間で多数が平行に張設される。この場合、中間に位置するレール部材２ｂでは上面部スリット１４にアイボルト・ナット４０が取り付けられ、下面部スリット１５にスライド板３４が取り付けられるので、中間のレール部材２ｂは中継のための部材となる。
【００３１】
中間のレール部材２ｂで中継される上下のワイヤ３ａ，３ｂが直線状に整合しないときや、ワイヤ３間の間隔や平行度を修正したいときは、調整が必要な箇所におけるスライド板３４の位置やアイボルト・ナット４０の位置を調整する。このとき、アイボルト・ナット４０の場合はスライド板４１に対する締め付けを緩めて少し押し込むようにすると下方のスライド板４１が周囲壁１２の内面から外れ、レール部材２の長手方向へ移動が可能になるので調整を簡単に行える。しかも、移動した目的の位置で手を離せばそのままでもスプリング４３の弾力でスライド板４１とワッシャー４４が周囲壁１２を把持するので、目的の位置へ簡単に仮止めすることができる。これにより、現場におけるワイヤ３の張設作業が簡単になる。
また、ワイヤ部材３の取付けは、上部、下部ともにフック２８や３２を用いた係合によるので、簡単で確実に取り付けられる。このため、高所作業で細かな手順が必要とされず、短期間にかつ安全に施工できる。
【００３２】
ルーバー５（図１）は、この実施例においてルーバー材１０を２枚ずつ組としたものであり、各ルーバー材１０は上下の部分ルーバー材４６ａ，４６ｂを中間のレール部材２の箇所で上下方向に接続してある（図１０）。そして、Ｌ形ブラケット７（図５）でレール部材２に取り付けられる。Ｌ形ブラケット７はレール部材２を壁面へ取り付けるときと同じものが向きを変えて兼用される（図１１）。すなわち、前記Ｌ形ブラケット７の水平部１８を垂直にしてルーバー材１０の背面に通常のボルト・ナット５１ａで固定される。Ｌ形ブラケット７を取り付けたルーバー材１０は前記Ｌ形ブラケット７の垂直部１７（水平になっている）をレール部材２の上面部に引っ掛け、取り付け用ボルト２２とスライド板２３とで確実に固定する。
【００３３】
このとき、前記Ｌ形ブラケット７の垂直部１７におけるボルト挿通孔２０は側方に開口されているので、ルーバー材１０に取り付けたＬ形ブラケット７をレール部材２の上面部に摺動させて、つまり、ルーバー材１０の重量をレール部材２に負担させながら移動させて取り付けボルト２２とＬ形ブラケット７とを組み合わせることができる。このため、高所作業であっても、長く重量も比較的大きなルーバー材１０を軽快にまた安全に取り付けることができる。
【００３４】
ルーバー材１０は合成樹脂製の本体中央にアルミ合金の押出し成形品からなる芯材４７を長手方向に嵌め込んだものであり、前記の接続箇所では下方となる部分ルーバー材４６ｂの上端面から芯材４７が４０ｍｍ程度突出して凸部４８を構成しているとともに、上方となる部分ルーバー材４６ａの下端面から芯材４７が４０ｍｍ程度引き込まれて凹部４９を構成している。
ルーバー５は、まず下方の部分ルーバー材４６ｂをレール部材２に取り付けてから、上方の部分ルーバー材４６ａを凹凸嵌合で上下方向に連続させて取り付ける。
【００３５】
このように、長いルーバー材１０を引き回すのではなく、短い部分ルーバー材４６ａ，４６ｂを用いているので、施工しやすい。
さらに、ルーバー材１０はＬ形ブラケット７を介してワイヤ３と共にレール部材２に取り付けられるので、ルーバー材１０を壁面に取り付けるための固定部材とワイヤ３のための固定部材とを別個に設ける必要がなく、壁面の緑化と共に外観を整える施工を安価に達成することができる。
【００３６】
上下方向で部分ルーバー材４６ａ，４６ｂが直線に整合しないときは、Ｌ形ブラケット７をレール部材２へ仮固定している取付け用ボルト２２を緩めて左右に移動させることで調整する。
なお、ルーバー材１０は木製のこともあるし、パンチメタルのような金属性やアルミ合金の押出し成形品のこともある。形や外観も種々のものを採用できる。ルーバー５は外観装飾材の一つである。
【００３７】
図１２は、図２におけるＤ，Ｅ，Ｆ部分を拡大したものであり、上段のレール部材２ａ、中段のレール部材２ｂ及び下段のレール部材２ｃのそれぞれと縦方向の中空形材１１との接続構造Ｄ，Ｅ，Ｆを示している。これらの部材が接続される箇所ではコーナー金物５０とボルト・ナット５１ｂを用いて２つの部材が結合されている。接続構造Ｄ，Ｅではレール部材２の内部空間が縦方向の中空形材１１の内部空間につながり、レール部材２ａ、２ｂに入り込んだ余剰潅水や雨水は、中空形材１１を縦方向の排水樋として下方に誘導される。これにより、上方のレール部材２ａ、２ｂから水が下方の通行人などに飛び散ることがない。
【００３８】
また、接続構造Ｆでは、縦方向の形材１１の内部空間が下端でレール部材２ｃの内部空間につながり、レール部材２ｃが横方向の排水樋として機能する。このため、レール部材を通じて集まってきた余剰の潅水や雨水がレール部材２ｃの端部１箇所から排出され、余剰の水が流れ出して作る水の流れ跡が建物の周辺に不規則にいくつも生じるのを防止することができる。
【００３９】
以上のように、壁面緑化装置１は、壁面にワイヤ３を縦方向に張設し、これに植物を伝わらせて成長させる構造であり、張設したワイヤ３の上部から下部へ植物に対する潅水目的の水を流下させることを特徴としている。ワイヤ３の上方から滴下される水はワイヤ３を伝って重力で下方に移動する。ワイヤ３を伝う水は螺旋状に巻きつけた副線２７を伝い、時間をかけて流下していくので、植生によって利用される機会が多い。すなわち、ワイヤ３に絡んでいる植生に水を供給し、また、夏場などでは植生を冷却する。さらに、水は葉面やワイヤ３に絡む支根からも吸収される。もちろん、プランター８にも潅水される。ワイヤ３は芯線２６に副線２７を巻きつけたものなので、植生が絡みやすく、また、風などで植生の絡み付きが解けてしまうことも少ない。
【００４０】
余剰の潅水や雨水は横方向に配置されているレール部材２の上面部スリット１４を通じてレール部材２の内部に入り、レール部材２の端部に誘導されて、縦方向の形材によって地面まで誘導されるので、壁面の不規則な箇所からみだりに流れ出ることがない。
なお、ワイヤ３の上部に滴下された水滴はスパイラルワイヤを伝うので、流下する間に回転が付いて振り回され、跳び散ることがあるが、この問題は、スパイラルのピッチを大きくするとか流下の量を調節するなどして解決することができる。ただし、跳び散ることが不都合ではなく、場合によってはこのシャワー状の散水状態を利用して広く葉面を濡らし、植生に対する冷却効果を図ることもできる。散水状態とはいえ、水滴はほとんどが植生の葉面で受け止められ、そのまま下方へ落下することは少ない。
【００４１】
中空形材からなるレール部材２をワイヤ３の取り付けに利用するので、取り付けが簡単であり、また、現場で取り付け位置の調整が可能となる。
ルーバー５のような外観装飾材を併設することにより、壁面を緑化と壁面装飾を組み合わせたデザインとすることができる。
中空のレール部材２は外観装飾材の取り付けにも利用できるので、壁面緑化装置１の構成を簡素にすることができる。また、潅水のための配水ホース９や電気配線１６のほとんどをレール部材２に収納できるので、外部に垂れ下がるなどの見苦しさがない。
【００４２】
図１３は実施例２を示し、実施例１とは、Ｌ形ブラケット７とレール部材２との固定にスライド部材５２ａが用いられ、また、レール部材２に対してワイヤ３を取り付けるために、スライド部材５２ｂ、５２ｃが用いられている点が異なる。他の構成は実施例１の場合と同じなので、同じ構成箇所には同じ符号を用いて詳細な説明を省略する。
スライド部材５２ａは、図１４、図１５（イ）のように、取り付け用ボルト２２とナットを兼ねたスライド板４１との対を備え、これらの間にスプリング４３とワッシャー４４が配置される。そして、スライド板４１は、その幅をレール部材２の上面部スリット１４を通過できる寸法とし、幅に対する長さをスリット１４の幅よりも十分に長くしてある。
【００４３】
これにより、スライド板４１の長手方向をスリット１４に沿った配置にするとスライド板４１はスリット１４を通過して中空形材であるレール部材２の中空部へ移動でき、通過させてから９０度回転させることによりレール部材２と係合させることができる（図１６イ、ロ）。つまり、スライド部材５２ａをレール部材２に対してスリット１４を利用してどこからでも取り付け、取り外しができる。また、スプリング４３とワッシャー４４を備えるので、取付け用ボルト２２を緩めて仮止めの状態にすることができる。仮止めの状態では取付け用ボルト２２を押し込むようにしてスライド板４１を周囲壁１２から離しながら、スリット１４に沿いスライド部材５２ａの全体を移動させることができる。
このため、壁面に取り付けて定位置にあるＬ形ブラケット７に対してあらかじめレール部材２に仮止めしたスライド部材５２ａを移動してはめ込み、ついで、固定することができるため、取り付け作業の能率を上げることができる。
【００４４】
スライド部材５２ｂ（図１５ロ）は、アイボルト（またはアイボルト状のボルト）５３と外周にローレットを刻んだ操作ナット５４、スプリング４３、ワッシャー４４及びアイボルト５３の雄ねじ部５５の先端に固定されたスライド板４１とからなる。スライド板４１の縦横寸法はレール部材２のスリット１５に差し込むことができるとともに、回転させるとスリット１５両側の周囲壁１２（レール部材２の）に係合させることができるものである。また、操作ナット５４を回動操作することによって、スライド部材５２ｂをレール部材２の長手方向に沿って移動させたり、任意の位置で固定したりすることができる。ワイヤ３は、その上部に取り付けたばねフック２４のフック２８をアイボルト５３に引っ掛けて取り付ける
【００４５】
ワイヤ３の下部は、レール部材２の上面部にスリット１４を利用して取り付けたスライド部材５２ｃに係合される。スライド部材５２ｃは、実施例１のアイボルト・ナット４０をアイボルト（あるいはアイボルト状のボルト）の形態としたものである。したがって、他のスライド部材５２ａ，５２ｂと同様に、レール部材２の長手方向に沿って移動させ位置調整することができる。
【００４６】
図１７は、実施例２の場合の各部の連結状態の例である。実施例１の場合（図３）と給水ホース３５の配置が異なる。スライド部材５２ｂのスライド板４１は幅が狭いので、給水ホース３５をあらかじめ取り付けておくことが困難であり、ワイヤ３を係合させるためのスライド板４１とは別個に、ドリッパー３７から直接にスリット１５を通過して上部のばねフック２４に到達させてある。
【００４７】
図１８は実施例３を示し、実施例１の場合とワイヤ３の上部を取り付ける構造が異なる。上部と下部の双方でアイボルト・ナット４０を用いた構造となっている。上方のレール部材２ではアイボルト・ナット４０が下面部スリット１５に取り付けられている。他の構成は実施例１の場合と同じなので、同じ構成箇所には同じ符号を用いて詳細な説明を省略する。
以上の実施例２，３では、レール部材２に対する取り付けがいずれの場合もスライド部材５２（５２ａ，５２ｂ，５２ｃ）によっているので、レール部材２の位置やワイヤ３の取り付け間隔あるいは傾きの調整を現場において簡単に行うことができる。
【００４８】
図１９は実施例４を示し、実施例１（図４）を天吊り構造としたものである。実施例１とはレール部材２を天面（軒天、建物張り出し部の下面）に固定するためのブラケットの構造が異なる。実施例４では天吊り用に、実施例１のＬ形ブラケット７をもう一回内側へ屈曲させたコ字形のブラケット５６を用いている。他の構成は実施例１の場合と同じである。
天吊りタイプの構造は、建物の張り出し部の下方に壁面緑化装置１を配置する場合に必要となる。
なお、この実施例４では、ワイヤ３の下部を取り付けるレール部材２もコ字形のブラケット５６を用いて直接に建物の床面に固定されている。
【００４９】
図２０，２１は実施例５，６を示している。前述の実施例１〜４は、いずれも、建物の壁を利用して構築する壁面緑化装置１であったが、実施例５，６は門型やアーチ形をした頑丈なフレーム５７を構築し、このフレーム５７にワイヤ３を張設した独立型の壁面緑化装置１である。フレーム５７に対するワイヤ３の取り付けには先の実施例と同様にレール部材２をＬ形ブラケット７やコ字形ブラケット５６を用いて取り付け、このレール部材２にワイヤ３の上下端を取り付ける。レール部材２に対するワイヤ３の取りつけ構造など、他の構成は実施例１の場合と同様である。
【００５０】
独立型の壁面緑化装置１は、建物の壁面がレール部材２の固定に不向きで壁面緑化装置１の構築を別途に設計する必要のある場合や図２０（イ）のように、本来目隠しとなる壁面そのものを壁面緑化装置で兼用するような場合に利用される。
実施例５（図２０ロ）のような平面タイプの独立型壁面緑化装置１の場合は、例えば、車誘導路から歩行者を安全に隔離する安全壁（図２０イ）として利用されている。
【００５１】
実施例６（図２１）の独立型壁面緑化装置１は、公園などにおける水飲み場を想定したもので、サークル状に構成した頑丈なフレーム５７にワイヤ３を張設した壁面で、周りを取り囲み、ワイヤ３に植生を育成するもので、一時的な憩いの雰囲気をかもし出すようにしてある。フレーム５７に対するレール部材２の固定やレール部材２に対するワイヤ３の取りつけ、及び潅水装置４など、他の構成は実施例１の場合と同じである。
【００５２】
以上、実施例について説明した。
潅水装置４は、配水ホース９から直接ワイヤ３の上部に水を滴下する構造のものでもよい。
ブラケット７の構造やレール部材２を壁面へ固定する構造は実施例のものに限定されない。
レール部材２は上面部と下面部に長手方向のスリット１４，１５を必要とするが、その断面構造と大きさは限定されない。断面の大きさや肉厚などは壁面緑化装置１の規模に応じて設計される。縦方向の形材１１は、ワイヤ３の張力に耐える必要がないので、レール部材より断面の小さな、耐荷重は低いがコストを削減できるものを使用することがある。
レール部材２の端部が形材の切り落としのために鋭いエッジを有する場合は、接触による傷害を避けるため、端部に合成樹脂製のエンドキャップを装着する。熱収縮性の幅広い樹脂リングを端部の外周に嵌め端縁から張り出している部分をバーナーなどで収縮させてレール部材２の端縁にまきつかせるなどの方法でも良い。
【符号の説明】
【００５３】
１  壁面緑化装置
２  レール部材
３  ワイヤ
４  潅水装置
５  ルーバー
６  ポンプ
７  Ｌ形ブラケット
８  プランター
９ａ  メインの配水ホース
９ｂ，９ｃ  サブの配水ホース
１０  ルーバー材
【００５４】
１１  縦方向の中空形材
１２  周囲壁
１３  中壁
１４  上面部スリット
１５  下面部スリット
１６  電気配線
１７  垂直部
１８  水平部
１９  ボルト
２０  ボルト挿通孔
【００５５】
２１  長孔
２２  取付け用ボルト
２３  スライド板
２４  上方のばねフック
２５  下方のばねフック
２６  芯線
２７  副線
２８  フック
２９  係合体
３０  チャック
【００５６】
３１  ねじ部材
３２  フック
３３  リリースボタン
３４  スライド板
３５  給水ホース
３６  係合孔
３７  ドリッパー
３８  係合孔
３９ａ  アイボルト
３９ｂ  ナット
４０  アイボルト・ナット
【００５７】
４１  スライド板
４２  凹部
４３  スプリング
４４  ワッシャー
４５  照明器具
４６ａ，４６ｂ  部分ルーバー材
４７  芯材
４８  凸部
４９  凹部
５０  コーナー金物
５１ａ，５１ｂ  ボルト・ナット
５２ａ，５２ｂ，５２ｃ  スライド部材
５３  アイボルト
５４  操作ナット
５５  雄ねじ部
５６  ブラケット
５７  フレーム
【図１】
2012055180.tif 000003
【図２】
2012055180.tif 000004
【図３】
2012055180.tif 000005
【図４】
2012055180.tif 000006
【図５】
2012055180.tif 000007
【図６】
2012055180.tif 000008
【図７】
2012055180.tif 000009
【図８】
2012055180.tif 000010
【図９】
2012055180.tif 000011
【図１０】
2012055180.tif 000012
【図１１】
2012055180.tif 000013
【図１２】
2012055180.tif 000014
【図１３】
2012055180.tif 000015
【図１４】
2012055180.tif 000016
【図１５】
2012055180.tif 000017
【図１６】
2012055180.tif 000018
【図１７】
2012055180.tif 000019
【図１８】
2012055180.tif 000020
【図１９】
2012055180.tif 000021
【図２０】
2012055180.tif 000022
【図２１】
2012055180.tif 000023